(57)【要約】【課題】尾引きを低減する。【解決手段】制御装置は、フレーム周期毎に映像を表示するための映像信号に基づき液晶表示装置の駆動を制御する制御装置であって、フレーム周期を、第１周期、及び第１周期より後の第２周期に分割する周期分割部４２と、映像信号に基づき、液晶表示装置の液晶素子を駆動するための第１信号値と第２信号値とを算出する信号算出部４４と、第１周期において第１信号値で液晶素子を駆動させ、第２周期において第２信号値で液晶素子を駆動させる液晶駆動部４６と、を有する。信号算出部４４は、第２信号値と予め定めた補正係数とに基づき第１信号値を算出することで、第１信号値によって液晶素子を駆動した場合に液晶素子が設けられる液晶層を透過可能な光量を、第２信号値によって液晶素子を駆動した場合に液晶層を透過可能な光量よりも、少なくする。【選択図】図４
2019124757.tif 000002
【特許請求の範囲】
【請求項１】
フレーム周期毎に映像を表示するための映像信号に基づき液晶表示装置の駆動を制御する制御装置であって、
前記フレーム周期を、第１周期、及び前記第１周期より後の第２周期に分割する周期分割部と、
前記映像信号に基づき、前記液晶表示装置の液晶素子を駆動するための第１信号値と第２信号値とを算出する信号算出部と、
前記第１周期において前記第１信号値で前記液晶素子を駆動させ、前記第２周期において前記第２信号値で前記液晶素子を駆動させる液晶駆動部と、を有し、
前記信号算出部は、前記第２信号値と予め定めた補正係数とに基づき前記第１信号値を算出することで、前記第１信号値によって前記液晶素子を駆動した場合に前記液晶素子が設けられる液晶層を透過可能な光量を、前記第２信号値によって前記液晶素子を駆動した場合に前記液晶層を透過可能な光量よりも、少なくする、
制御装置。
【請求項２】
前記液晶素子に照射する光を制御する光制御部を更に有し、前記光制御部は、前記第１周期において前記液晶素子に照射する光を遮断し、前記第２周期において前記液晶素子に光を照射する、請求項１に記載の制御装置。
【請求項３】
前記信号算出部は、前記液晶素子に印加する電圧の値と前記電圧を印加する時間との、前記第１周期における積分値が、前記第２周期における前記積分値より小さくなるように、前記第１信号値を算出する、請求項１又は請求項２に記載の制御装置。
【請求項４】
前記信号算出部は、前記第１信号値を、前記第１周期において前記電圧を印加する第１時間として算出し、前記第２信号値を、前記第２周期において前記電圧を印加する第２時間として算出し、
前記液晶駆動部は、前記第１周期において、前記第１時間だけ前記液晶素子に前記電圧を印加し、前記第２周期において、前記第２時間だけ前記液晶素子に前記電圧を印加する、請求項３に記載の制御装置。
【請求項５】
前記液晶駆動部は、前記第１周期の開始から前記第１時間が経過するまでの間、前記電圧を印加し、前記第１時間が経過してから前記第２周期の開始までの間、前記電圧の印加を停止する、請求項４に記載の制御装置。
【請求項６】
請求項１から請求項５のいずれか１項に記載の制御装置と、
前記液晶素子を有する液晶パネルと、を有する、液晶表示装置。
【発明の詳細な説明】
【技術分野】
【０００１】
本発明は、制御装置及び液晶表示装置に関する。
【背景技術】
【０００２】
プロジェクタなどの液晶表示装置で動画像を表示する際には、黒挿入という制御が用いられる場合がある。黒挿入とは、映像信号の周波数を２倍にして、フレーム周期を２つの周期に時分割して、時分割した一方の周期において画像を表示し、他方の周期において黒表示とする技術である。このように他方の周期において黒表示することにより、フレーム周期毎の画像の切り替わりを鮮明にすることができる。
【０００３】
また、液晶表示装置で動画像を表示する際、尾引きという現象が生じる場合がある。尾引きとは、隣り合う画素間の電位差に起因して、液晶素子が意図した配向方向と異なる方向に配向することによって生じる。すなわち、尾引きとは、ある画素に属する液晶素子が、隣の画素の電位によって配向されてしまう現象である。尾引きによって液晶素子が意図しない配向方向を向くと、意図しない画像が表示されるおそれがある。例えば特許文献１には、動きのある画素を検出して電圧制御することで、尾引きを抑制する旨が記載されている。
【先行技術文献】
【特許文献】
【０００４】
【特許文献１】特許第５２１７７３４号公報
【発明の概要】
【発明が解決しようとする課題】
【０００５】
しかし、黒挿入を行う場合など、フレーム周期を２つの周期に時分割する場合、尾引きは顕著となる。また、特許文献１のように尾引きを抑制する場合、動きのある画素の検出など、制御負担が大きくなる。また、隣接画素間の電圧差を小さくして尾引きを低減することも考えられるが、例えばＬＣＯＳ（Liquid  Crystal  on  Silicon）など、画素間の距離が小さい液晶表示装置においては、尾引きが適切に低減できないおそれもある。従って、尾引きを低減する技術には、改善の余地がある。
【０００６】
本発明は、上記課題を鑑み、尾引きを低減する制御装置及び液晶表示装置を提供することを目的とする。
【課題を解決するための手段】
【０００７】
本発明の一態様にかかる制御装置は、フレーム周期毎に映像を表示するための映像信号に基づき液晶表示装置の駆動を制御する制御装置であって、前記フレーム周期を、第１周期、及び前記第１周期より後の第２周期に分割する周期分割部と、前記映像信号に基づき、前記液晶表示装置の液晶素子を駆動するための第１信号値と第２信号値とを算出する信号算出部と、前記第１周期において前記第１信号値で前記液晶素子を駆動させ、前記第２周期において前記第２信号値で前記液晶素子を駆動させる液晶駆動部と、を有し、前記信号算出部は、前記第２信号値と予め定めた補正係数とに基づき前記第１信号値を算出することで、前記第１信号値によって前記液晶素子を駆動した場合に前記液晶素子が設けられる液晶層を透過可能な光量を、前記第２信号値によって前記液晶素子を駆動した場合に前記液晶層を透過可能な光量よりも、少なくする。
【発明の効果】
【０００８】
本発明によれば、尾引きを低減することができる。
【図面の簡単な説明】
【０００９】
【図１】図１は、本実施形態に係る液晶表示装置の模式的な構成を示す図である。
【図２】図２は、本実施形態における液晶パネルの断面図である。
【図３】図３は、階調値とサブフレームと画素の制御との関係の例を示す図である。
【図４】図４は、本実施形態に係る制御部のブロック図である。
【図５】図５は、制御部による制御のタイムチャートの一例である。
【図６】図６は、制御部による制御フローを説明するフローチャートである。
【図７】図７は、第１比較例における制御のタイムチャートの一例である。
【図８】図８は、第２比較例における制御のタイムチャートの一例である。
【図９】図９は、変形例に係る補正係数を説明する図である。
【図１０】図１０は、変形例における制御のタイムチャートの一例である。
【発明を実施するための形態】
【００１０】
以下に、本発明の実施形態を図面に基づいて詳細に説明する。なお、以下に説明する実施形態により本発明が限定されるものではない。
【００１１】
（液晶表示装置の全体構成）
図１は、本実施形態に係る液晶表示装置の模式的な構成を示す図である。図１に示すように、本実施形態に係る液晶表示装置１は、スクリーンＳに、映像、より詳しくは動画像を投射する投射型の画像表示装置である。液晶表示装置１は、発光装置１０と、照明光学系１２と、液晶パネル１４ｂ、１４ｇ、１４ｒと、合成光学系１６と、投射光学系１８とを有する。
【００１２】
発光装置１０は、光を発生する光源を有し、光源から発生した光を、入射光Ｌ０として、照明光学系１２に照射する。本実施形態では、発光装置１０は、図１の例では便宜的に１つの光源としているが、入射光Ｌ０を生成するための他の光学装置を有していてもよい。
【００１３】
照明光学系１２は、発光装置１０からの入射光Ｌ０を、第１色光Ｌｂと第２色光Ｌｇと第３色光Ｌｒとに分離する。本実施形態における第１色光Ｌｂ、第２色光Ｌｇ、及び第３色光Ｌｒは、それぞれ照明光を構成する三色の色光のうちの単色成分の光である。具体的には、第１色光Ｌｂは、青色の光であり、第２色光Ｌｇは、緑色の光であり、第３色光Ｌｒは、赤色の光である。第１色光Ｌｂ、第２色光Ｌｇ、及び第３色光Ｌｒを区別しない場合は、入射光Ｌ１と記載する。
【００１４】
照明光学系１２は、光学素子２２、２３、２４を有する。光学素子２２は、発光装置１０からの入射光Ｌ０を、第１色光Ｌｂと混色光Ｌｇｒとに分離する。光学素子２２は、分離した第１色光Ｌｂを、光学素子２３に供給する。光学素子２３は、光学素子２２からの第１色光Ｌｂを反射して、液晶パネル１４ｂに供給する。ここで、混色光Ｌｇｒは、第２色光Ｌｇと第３色光Ｌｒとの色成分を含む色の光である。光学素子２２は、分離した混色光Ｌｇｒを、光学素子２４に供給する。光学素子２４は、光学素子２２からの混色光Ｌｇｒを、第２色光Ｌｇと第３色光Ｌｒとに分離する。光学素子２４は、分離した第２色光Ｌｇを、液晶パネル１４ｇに供給し、分離した第３色光Ｌｒを、液晶パネル１４ｒに供給する。なお、図１に示す照明光学系１２の構成は、一例である。照明光学系１２は、第１色光Ｌｂ、第２色光Ｌｇ、及び第３色光Ｌｒを、それぞれ液晶パネル１４ｂ、１４ｇ、１４ｒに供給する構成であればよい。
【００１５】
液晶パネル１４ｂは、光学素子２３からの第１色光Ｌｂを液晶素子によって変調して、変調した第１色光Ｌｂを、出射光Ｌｂ２として出力する液晶パネルである。液晶パネル１４ｇは、光学素子２４からの第２色光Ｌｇを液晶素子によって変調して、変調した第２色光Ｌｇを出射光Ｌｇ２として出力する液晶パネルである。液晶パネル１４ｒは、光学素子２４からの第３色光Ｌｒを液晶素子によって変調して、変調した第３色光Ｌｒを出射光Ｌｒ２として出力する液晶パネルである。以下、液晶パネル１４ｂ、１４ｇ、１４ｒを区別しない場合は、液晶パネル１４と記載する。また、出射光Ｌｂ２、Ｌｇ２、Ｌｒ２を区別しない場合は、出射光Ｌ２と記載する。
【００１６】
本実施形態における液晶パネル１４は、反射型の液晶パネルであり、さらに言えば、ＬＣＯＳ（Liquid  Crystal  on  Silicon）である。ただし、液晶パネル１４は、入射した光を液晶素子によって変調して出射するものであれば、反射型の液晶パネルに限られない。例えば、液晶パネル１４は、透過型の液晶パネルであってもよい。また、本実施形態では、液晶パネル１４ｂ、１４ｇ、１４ｒは、単色の出射光Ｌ２（出射光Ｌｂ２、出射光Ｌｇ２、及び出射光Ｌｒ２のいずれか）を出射する。ただし、液晶パネル１４は、１つのパネルで、出射光Ｌｂ２、出射光Ｌｇ２、及び出射光Ｌｒ２の色成分が組み合わさった出射光を出射してもよい。
【００１７】
図２は、本実施形態における液晶パネルの断面図である。図２は、液晶パネル１４ｂの構成を例示しているが、液晶パネル１４ｇ、１４ｒも同様の構成である。図２に示すように、液晶パネル１４ｂは、基板３０、３２と、画素電極３４と、対向電極３６と、液晶層３７と、液晶素子３８とを有する。液晶パネル１４ｂは、各層の間に設けられる絶縁層など、その他の構成も有する場合があるが、説明を省略する。
【００１８】
基板３０は、シリコンなどの半導体基板、ガラス基板、又は樹脂基板などである。基板３２は、基板３０に対向して設けられる基板である。基板３２は、基板３０よりも第１色光Ｌｂの入射側に配置されている。基板３２は、シリコンなどの半導体基板、ガラス基板、又は樹脂基板などであり、光を透過する部材で形成されている。
【００１９】
画素電極３４は、基板３０の、基板３２側の表面に設けられている。画素電極３４は、基板３０の表面に複数設けられ、２次元マトリクス状に配列している。画素電極３４は、制御部２０の制御により、対向電極３６との間に電圧が印加される電極である。すなわち、１つの画素電極３４は、１つの画素を構成する。また、画素電極３４は、第１色光Ｌｂを反射する反射電極を兼ねている。画素電極３４は、例えばアルミニウム又は銀製の、光を反射可能な部材で構成されている。対向電極３６は、基板３２の、基板３０側の表面に設けられている。対向電極３６は、本実施形態では、１つであり、複数の画素電極３４と対向する。対向電極３６は、例えばインジウム錫酸化物（Indium  Tin  Oxide：ＩＴＯ）やインジウム亜鉛酸化物（Indium  Zinc  Oxide：ＩＺＯ）などの、光を透過可能な導電性材料で形成される。
【００２０】
液晶層３７は、基板３０と基板３２との間に設けられるスペースであり、内部に液晶素子３８が封入されている。図２の上側の絵に示すように、液晶素子３８は、画素電極３４と対向電極３６との間に電圧が印加されていない場合、一方向に配向している。本実施形態では、液晶素子３８は、画素電極３４と対向電極３６との間に電圧が印加されていない場合、方向Ｚ(縦方向)に配向する。方向Ｚは、基板３０と基板３２とが積層されている方向である。図２の下側の絵に示すように、液晶素子３８は、画素電極３４と対向電極３６との間に電圧が印加されると、画素電極３４と対向電極３６とによって発生された電界により、配向方向が変化する。本実施形態では、印加される電圧は一定値である。従って、液晶素子３８は、画素電極３４と対向電極３６との間に電圧が印加されると、方向Ｚに対し直交する方向（横方向）に配向する。ただし、液晶素子３８の配向方向は、これに限られない。
【００２１】
液晶素子３８は、画素電極３４と対向電極３６との間に電圧が印加されていない場合、入射してくる第１色光Ｌｂを透過しないように配向する。この場合、図２の上側の絵に示すように、液晶パネル１４ｂに第１色光Ｌｂが入射されても、第１色光Ｌｂが液晶層３７に遮断され、画素電極３４に到達しない。従って、液晶パネル１４ｂは、画素電極３４と対向電極３６との間に電圧が印加されていない場合、出射光Ｌｂ２を出射しない。全ての液晶パネル１４ｂ、１４ｇ、１４ｒが出射光Ｌ２を出射しない場合、黒表示となる。一方、液晶素子３８は、画素電極３４と対向電極３６との間に電圧が印加された場合、入射してくる第１色光Ｌｂを透過するように配向する。この場合、図２の下側の絵に示すように、液晶パネル１４ｂに入射された第１色光Ｌｂは、液晶層３７を透過して、画素電極３４に到達する。画素電極３４に到達した第１色光Ｌｂは、画素電極３４で反射され、再度液晶層３７を透過して、出射光Ｌｂ２として出射される。このように、液晶パネル１４ｂは、画素電極３４と対向電極３６との間に電圧が印加された場合、出射光Ｌｂ２を出射する。
【００２２】
図１に戻り、合成光学系１６は、液晶パネル１４ｂからの出射光Ｌｂ２と、液晶パネル１４ｇからの出射光Ｌｇ２と、液晶パネル１４ｒからの出射光Ｌｒ２とを合成して合成光を生成する。本実施形態において、合成光学系１６は、クロスダイクロイックプリズムを含む。
【００２３】
図１に示すように、投射光学系１８は、合成光学系１６で生成された合成光が入射され、その合成光を、映像として、スクリーンＳに投射する。
【００２４】
制御装置としての制御部２０は、演算装置、すなわちＣＰＵ（Ｃｅｎｔｒａｌ  Ｐｒｏｃｅｓｓｉｎｇ  Ｕｎｉｔ）を有する装置である。制御部２０は、入射光Ｌ１の液晶パネル１４への入射を制御する。本実施形態では、制御部２０は、発光装置１０から照明光学系１２への入射光Ｌ０を制御することで、液晶パネル１４への入射光Ｌ１の入射のオンオフを切り替えている。ただし、制御部２０は、発光装置１０を直接制御せずに、例えば液晶パネル１４への入射光Ｌ１の入射を遮断するシャッターなどを駆動して、液晶パネル１４への入射光Ｌ１の入射を制御してもよい。
【００２５】
（制御部の電圧制御）
また、制御部２０は、画素電極３４への電圧印加を制御することで、液晶パネル１４の液晶素子３８の動作を制御する。制御部２０は、例えば外部機器などから、映像を表示するための映像信号を取得する。制御部２０は、その映像信号に基づき電圧印加を制御することで、液晶パネル１４の液晶層３７が透過可能な光量を制御して、映像を表示させる。
【００２６】
ここで、液晶層３７が透過可能な光量を、透過可能光量とする。透過可能光量は、液晶層３７が透過可能な光束の、単位時間での積算値を指す。液晶層３７が透過可能な光量は、液晶素子３８の配向状態に依存し、配向状態は、液晶素子３８に印加される電圧に依存する。従って、透過可能光量は、液晶素子３８に印加される電圧と、その電圧が印加された時間との、積分値に対応した値であるといえる。例えば、液晶素子３８に電圧が印加されていない場合、液晶層３７は光を透過しない状態に配向している。従って、この場合に液晶パネル１４に入射光Ｌ１が入射していても、透過可能光量はゼロとなる。一方、液晶素子３８に電圧が印加されている場合、液晶層３７は光を透過可能な状態に配向している。従って、液晶パネル１４に入射光Ｌ１が入射していなくても、透過可能光量はゼロにならず、所定の値となる。さらに言い換えれば、透過可能光量は、液晶素子３８の電圧無印加状態からの配向量と、その配向している時間との、積分値に対応した値であるといえる。
【００２７】
また、映像信号は、フレーム周期毎に映像を表示するための信号である。フレーム周期とは、１つのフレームの周期である。１つのフレーム周期において、１つの画像が表示され、次のフレーム周期において、更新された画像が表示される。さらに言えば、映像信号は、映像を表示するための、各画素の階調の情報を含む信号である。光量が大きくなると階調が高く視認されるため、映像信号は、映像を再現するための出射光Ｌ２の光量、言い換えれば透過可能光量を示す情報を含んでいるともいえる。
【００２８】
本実施形態における制御部２０は、デジタル駆動方式によって、液晶素子３８の動作を制御する。制御部２０は、デジタル駆動方式において、各画素（各画素電極３４）に属する液晶素子３８を、オン状態とオフ状態との２状態で制御する。言い換えれば、制御部２０は、画素電極３４に電圧を印加する際には、印加する電圧を一定値とする。すなわち、制御部２０は、電圧を印加しない場合は、印加する電圧を０（オフ状態）とし、電圧を印加する場合は、予め定められた電圧値で、電圧を印加する（オン状態）。なお、オン状態は、液晶パネル１４が出射光Ｌ２を出射可能な状態であり、例えば液晶層３７の透過率が最も高い状態である。例えば、オン状態では、液晶パネルに白色の光を入射した場合に略白の表示（白表示）となる状態である。また、オフ状態は、液晶パネル１４が出射光Ｌ２を出射できない状態であり、例えば液晶層３７の透過率が最も低い状態である。オフ状態は、液晶パネルに白色の光を入射した場合に略黒の表示（黒表示）となる状態である。
【００２９】
また、制御部２０は、画素電極３４へ電圧を印加する時間の長さによって、出射光Ｌ２の光量を制御することで、階調を表現する。電圧を印加する時間が長いと、液晶層３７が光を透過する時間が長くなる。従って、１つのフレーム周期における液晶層３７の透過可能光量は、電圧を印加する時間が長くなるほど大きいものとなる。さらに詳しくは、制御部２０は、１フレーム周期内のサブフレームのうち、当該画素の階調値に応じた数のサブフレームにおいてオン状態に制御し、それ以外のサブフレームにおいてオフ状態に制御することで、電圧を印加する時間の長さを制御している。
【００３０】
図３は、階調値とサブフレームと画素の制御との関係の例を示す。図３において、各列は、左から右に向けてサブフレームＳＦ１、ＳＦ２、…、ＳＦ１２とされている。これらのうち、サブフレームＳＦ１がフレーム周期の先頭のサブフレーム、サブフレームＳＦ１２がフレーム周期の後端のサブフレームとする。また、図３において、各行は、上から下に向けて階調値が０から１ずつ増加する。階調値「０」が最も低い（暗い）階調であり、階調値「１２」が最も高い（明るい）階調である。
【００３１】
第１の実施形態では、制御部２０は、画素の階調値に応じた数のサブフレームを、フレーム周期の先頭から順に選択し、選択したサブフレームにおいて、当該画素をオン状態に制御する。図３において、斜線を付して示す値「１」のセルは、画素をオン状態に制御することを示し、値「０」のセルは、画素をオフ状態に制御することを示す。
【００３２】
例えば、ある画素の階調値が「３」である場合、制御部２０は、フレーム周期の先頭のサブフレームＳＦ１から３つのサブフレーム（サブフレームＳＦ１、ＳＦ２およびＳＦ３）を選択する。そして、制御部２０は、選択したサブフレームにおいて、当該画素をオン状態に制御する。また、制御部２０は、その他の９個のサブフレーム（サブフレームＳＦ４〜ＳＦ１２）では、当該画素をオフ状態に制御する。
【００３３】
また例えば、ある画素の階調値が「１２」である場合、制御部２０は、フレーム周期の先頭のサブフレームＳＦ１から１２個のサブフレーム（サブフレームＳＦ１〜ＳＦ１２）を選択する。そして、制御部２０は、選択したサブフレームにおいて、当該画素をオン状態に制御する。この場合には、オフ状態に制御するサブフレームは存在しない。
【００３４】
さらに例えば、ある画素の階調値が「０」である場合、制御部２０は、１フレーム周期内の全てのサブフレーム（サブフレームＳＦ１〜ＳＦ１２）で当該画素をオフ状態に制御する。この場合には、オン状態に制御するサブフレームは存在しない。
【００３５】
このように、本実施形態では、オンおよびオフ制御を行うサブフレームが、階調毎に予め割り当てられる。また、階調値「０」では、フレーム周期内で画素のオフ状態が維持され、階調値「１２」では、フレーム周期内で画素のオン状態が維持される。このように、階調値「０」および階調値「１２」の階調は、フレーム周期内の全てのサブフレームをオフ状態およびオン状態に制御することで実現できるため、１フレーム周期内のサブフレーム数は、１２で足りる。
【００３６】
このように、制御部２０は、画素へ印加する電圧をオン状態とオフ状態とで制御しつつ、電圧を印加する時間の長さを制御することで、液晶素子３８の動作を制御して各画素の階調を表現する。以下、画素へ電圧を印加する時間を、印加時間と記載する。印加時間は、オン状態にするサブフレームの数に相当する。
【００３７】
（制御部の周期毎の電圧制御）
ここで、制御部２０は、フレーム周期Ｃを第１周期Ｃ１と第２周期Ｃ２とに分割して、第１周期Ｃ１と第２周期Ｃ２との電圧の印加時間を、個別に制御する。以下、より詳細に説明する。図４は、本実施形態に係る制御部のブロック図である。図５は、制御部による制御のタイムチャートの一例である。図４に示すように、制御部２０は、映像信号取得部４０と、周期分割部４２と、信号算出部４４と、液晶駆動部４６と、光制御部４８とを有する。映像信号取得部４０と、周期分割部４２と、信号算出部４４と、液晶駆動部４６と、光制御部４８とは、図示しない制御部２０の記憶部に記憶されたプログラムであるが、専用のハードウェア（回路など）によって実現されてもよい。
【００３８】
映像信号取得部４０は、映像信号と同期信号とを、例えば外部機器から取得する。上述のように、映像信号は、フレーム周期Ｃ毎に映像を表示するための信号であり、各画素の階調の情報を含む。同期信号は、フレーム周期を示すクロック信号である。図５の例では、線分Ｖ１が同期信号を示している。図５の線分Ｖ１に示すように、同期信号は、フレーム周期Ｃ毎に入力されるパルス信号である。図５の例では、同期信号は、時刻ｔ１、ｔ３、ｔ５に入力されている。従って、最初のフレーム周期Ｃは、時刻ｔ１から時刻ｔ３までの間であり、次のフレーム周期Ｃが、時刻ｔ３から時刻ｔ５までの間となっている。
【００３９】
図４に戻り、周期分割部４２は、フレーム周期Ｃを、第１周期Ｃ１と第２周期Ｃ２とに分割する。周期分割部４２は、１つのフレーム周期Ｃ内の期間の一部を、第１周期Ｃ１とし、１つのフレーム周期Ｃ内の期間の他の一部であって、第１周期Ｃ１よりも後の期間を、第２周期Ｃ２とする。より詳しくは、周期分割部４２は、フレーム周期Ｃを２つの期間に区分し、最初の期間を第１周期Ｃ１とし、後の期間を第２周期Ｃ２とする。周期分割部４２は、１つのフレーム周期Ｃにおける第１周期Ｃ１と第２周期Ｃ２とを、同じ長さ（期間）とする。ただし、周期分割部４２は、第１周期Ｃ１と第２周期Ｃ２とを、互いに異なる長さとしてもよい。
【００４０】
図５の例では、線分Ｖ２に示すように、最初のフレーム周期Ｃにおいて、第１周期Ｃ１は、時刻ｔ１から時刻ｔ２までの期間であり、第２周期Ｃ２は、時刻ｔ２から時刻ｔ３までの期間である。そして、次のフレーム周期Ｃにおいて、第１周期Ｃ１は、時刻ｔ３から時刻ｔ４までの期間であり、第２周期Ｃ２は、時刻ｔ４から時刻ｔ５までの期間である。
【００４１】
また、図４に示す信号算出部４４は、映像信号取得部４０が取得した映像信号に基づき、参照時間Ｄと、第２時間Ｄ２と、第１時間Ｄ１とを算出する。信号算出部４４は、参照時間算出部５２と、第２時間算出部５４と、第１時間算出部５６とを有する。
【００４２】
参照時間算出部５２は、映像信号に基づき、フレーム周期Ｃ毎の参照時間Ｄを算出する。参照時間Ｄは、第２時間Ｄ２を算出するための参照となる値である。参照時間算出部５２は、画素が映像信号で示された階調となる電圧の印加時間を、参照時間Ｄとして算出する。言い換えれば、参照時間Ｄは、透過可能光量が映像信号で指定される光量となる、電圧の印加時間である。従って、１つのフレーム周期Ｃにおいて、参照時間Ｄの間、画素に電圧を印加した場合、そのフレーム周期Ｃにおける透過可能光量は、映像信号で示された階調を実現する値となる。さらに言えば、画素に印加する電圧の値と参照時間Ｄとの積分値が、フレーム周期Ｃにおける透過可能光量に相当する。従って、参照時間Ｄは、映像信号で指定される光量となるための透過可能光量を示す参照値であるともいえる。
【００４３】
参照時間算出部５２は、画素毎に、参照時間Ｄを算出する。また、参照時間算出部５２は、フレーム周期Ｃ毎、すなわち映像信号が切り替わる毎に、参照時間Ｄを算出する。従って、参照時間Ｄは、画素毎に値が異なり、フレーム周期Ｃ毎に値が更新される。
【００４４】
ここで、画素に電圧を参照時間Ｄの間印加したと仮定した場合の、制御部２０による制御信号を、入力映像信号とする。図５の線分Ｖ３は、入力映像信号の例を示している。線分Ｖ３に示すように、入力映像信号は、１つのフレーム周期Ｃにおいて、ＯＮ状態（電圧の印加）が参照時間Ｄだけ続き、その後にＯＦＦ状態（電圧の停止）になっている。すなわち、入力映像信号は、最初のフレーム周期Ｃにおいて、時刻ｔ１から時刻ｔ１ｓまでの間、すなわち参照時間Ｄの間、ＯＮ状態となり、時刻ｔ１ｓから時刻ｔ３までの間、ＯＦＦ状態となる。そして、次のフレーム周期Ｃにおいて、時刻ｔ３から時刻ｔ３ｓまでの間、ＯＮ状態となり、時刻ｔ３ｓから時刻ｔ５までの間、ＯＦＦ状態となる。なお、入力映像信号は、参照時間Ｄの間、電圧を印加したと仮定した場合の信号であるため、本実施形態において実際に用いられる信号を表したものではない。
【００４５】
図４に示す第２時間算出部５４は、参照時間Ｄに基づき、第２信号値としての第２時間Ｄ２を算出する。第２時間Ｄ２は、第２周期Ｃ２における印加時間である。第２時間Ｄ２も、参照時間Ｄと同様に、映像信号に応じて、画素毎に値が異なり、フレーム周期Ｃ毎に値が更新される。第２時間算出部５４は、次の式（１）により、第２時間Ｄ２を算出する。
【００４６】
Ｄ２＝（Ｃ２／Ｃ）・Ｄ  ・・・（１）
【００４７】
すなわち、第２時間算出部５４は、フレーム周期Ｃに対する第２周期Ｃ２の比率に、参照時間Ｄを乗じた値を、第２時間Ｄ２として算出する。第２時間Ｄ２は、参照時間Ｄより短くなる。本実施形態では、第２周期Ｃ２は、フレーム周期Ｃの半分（周波数が２倍）なので、第２時間Ｄ２は、参照時間Ｄの半分となる。第２時間Ｄ２は、このように算出されるため、映像信号で指定される光量を実現するための透過可能光量のうち、フレーム周期Ｃに対する第２周期Ｃ２の比率分の光量を示す値ともいえる。ただし、第２時間算出部５４は、参照時間Ｄに基づき第２時間Ｄ２を算出すればよく、必ずしも式（１）に基づき第２時間Ｄ２を算出しなくてもよい。例えば、第２時間算出部５４は、参照時間Ｄに、１より小さい所定の係数を乗じた値を、第２時間Ｄ２として算出してもよい。
【００４８】
また、本実施形態においては、画素に印加する電圧の値は一定である。従って、第２信号値としての第２時間Ｄ２は、第２周期Ｃ２での透過可能光量を示す値であるといえる。
【００４９】
図４に示す第１時間算出部５６は、第２時間Ｄ２に基づき、第１信号値としての第１時間Ｄ１を算出する。第１時間Ｄ１は、第１周期Ｃ１における印加時間である。すなわち、第１信号値としての第１時間Ｄ１は、第１周期Ｃ１での透過可能光量を示す値である。第１時間Ｄ１も、第２時間Ｄ２と同様に、映像信号に応じて、画素毎に値が異なり、フレーム周期Ｃ毎に値が更新される。第１時間算出部５６は、第２時間Ｄ２と、予め定めた補正係数αとに基づき、第１時間Ｄ１を算出する。より詳しくは、第１時間算出部５６は、次の式（２）により、第１時間Ｄ１を算出する。
【００５０】
Ｄ１＝α・Ｄ２  ・・・（２）
【００５１】
すなわち、第１時間算出部５６は、第２時間Ｄ２に補正係数αを乗じた値を、第１時間Ｄ１として算出する。ここで、補正係数αは、フレーム周期Ｃ及び画素毎に異なる値でない。すなわち、補正係数αは、フレーム周期Ｃ及び画素毎に共通な、一定の値となっている。補正係数αは、０．３以上０．８であることが好ましい。第１時間Ｄ１は、このような補正係数αに基づく値であるため、第２時間Ｄ２に比例した値となり、かつ、第２時間Ｄ２より小さな値となる。従って、あるフレーム周期Ｃに属する第１周期Ｃ１において、第１時間Ｄ１の間、電圧を印加した場合の透過可能光量は、同じフレーム周期Ｃに属する第２周期Ｃ２において、第２時間Ｄ２の間、電圧を印加した場合の透過可能光量よりも、小さくなる。
【００５２】
図４に示す液晶駆動部４６は、算出された第１時間Ｄ１と第２時間Ｄ２とに基づき、電圧の印加状態を制御して、液晶素子３８を駆動する。液晶駆動部４６は、第１周期Ｃ１において、第１時間Ｄ１で液晶素子３８を駆動し、第２周期Ｃ２において、第２時間Ｄ２で液晶素子３８を駆動する。すなわち、液晶駆動部４６は、第１周期Ｃ１において、第１時間Ｄ１の間、画素電極３４に電圧を印加し、第１時間Ｄ１の経過後、電圧の印加を停止する。そして、液晶駆動部４６は、第２周期Ｃ２において、第２時間Ｄ２の間、画素電極３４に電圧を印加する。第１時間Ｄ１と第２時間Ｄ２とは、映像信号に応じて、画素およびフレーム周期Ｃ毎に算出される。従って、液晶駆動部４６は、画素およびフレーム周期Ｃ毎に、電圧の印加状態を制御する。ここで、第１時間Ｄ１は、第２時間Ｄ２より小さい値に設定されている。従って、第２時間Ｄ２が第２周期Ｃ２の全期間を占める（第２周期Ｃ２の全期間で電圧を印加する）場合でも、第１周期Ｃ１においては、第１時間Ｄ１の後に電圧を停止する時間が確保される。
【００５３】
ここで、図５を用いて、液晶駆動部４６による電圧の印加状態の制御を説明する。液晶駆動部４６による印加状態の制御を行うための信号を、液晶制御信号とする。図５の線分Ｖ４は、液晶制御信号の例を示している。線分Ｖ４に示すように、液晶駆動部４６は、最初のフレーム周期Ｃに属する第１周期Ｃ１において、時刻ｔ１から時刻ｔ１ａまでの間、ＯＮ状態として、画素電極３４に電圧を印加している。そして、液晶駆動部４６は、時刻ｔ１ａから時刻ｔ２までの間、ＯＦＦ状態として、電圧の印加を停止している。第１時間Ｄ１は、時刻ｔ１から時刻ｔ１ａまでの期間に該当する。従って、その画素電極３４の近傍の液晶素子３８は、時刻ｔ１から時刻ｔ１ａまでの間、光を透過可能な状態（向き）に配向し、時刻ｔ１ａから時刻ｔ２までの間、光を透過不可能な状態（向き）に配向する。
【００５４】
また、液晶駆動部４６は、最初のフレーム周期Ｃに属する第２周期Ｃ２において、時刻ｔ２から時刻ｔ２ａまでの間、ＯＮ状態として、画素電極３４に電圧を印加している。そして、液晶駆動部４６は、時刻ｔ２ａから時刻ｔ３までの間、ＯＦＦ状態として、電圧の印加を停止している。第２時間Ｄ２は、時刻ｔ２から時刻ｔ２ａまでの期間に該当する。従って、その画素電極３４の近傍の液晶素子３８は、時刻ｔ２から時刻ｔ２ａまでの間、光を透過可能な状態に配向し、時刻ｔ２ａから時刻ｔ３までの間、光を透過不可能な状態に配向する。この場合、第１時間Ｄ１での透過可能光量は、印加する電圧値Ｅと、第１時間Ｄ１との積分値となる。同様に、第２時間Ｄ２での透過可能光量は、印加する電圧値Ｅと、第２時間Ｄ２との積分値となる。第２時間Ｄ２での透過可能光量は、第１時間での透過可能光量より大きい。
【００５５】
同様に、液晶駆動部４６は、次のフレーム周期Ｃに属する第１周期Ｃ１において、時刻ｔ３から時刻ｔ３ａまでの間（第１時間Ｄ１）、ＯＮ状態とし、時刻ｔ３ａから時刻ｔ４までの間、ＯＦＦ状態としている。また、液晶駆動部４６は、第２周期Ｃ２において、時刻ｔ４から時刻ｔ４ａまでの間（第２時間Ｄ２）、ＯＮ状態として、時刻ｔ４ａから時刻ｔ５までの間、ＯＦＦ状態としている。
【００５６】
また、図４に示す光制御部４８は、入射光Ｌ１の液晶パネル１４への入射を制御する。光制御部４８は、第１周期Ｃ１においては、液晶パネル１４への入射光Ｌ１の入射を停止し、第２周期Ｃ２において、液晶パネル１４へ入射光Ｌ１を入射させる。光制御部４８は、液晶パネル１４へ入射光Ｌ１を入射する際には、入射光Ｌ１の強度を一定にしている。
【００５７】
ここで、図５を用いて、光制御部４８による入射光Ｌ１の制御を説明する。光制御部４８による入射光Ｌ１の制御を行うための信号を、光制御信号とする。図５の線分Ｖ５は、光制御信号の例を示している。線分Ｖ５に示すように、光制御部４８は、時刻ｔ１から時刻ｔ２までの間、すなわち第１周期Ｃ１の間、ＯＦＦ状態として、液晶パネル１４への入射光Ｌ１の入射を停止させる。そして、光制御部４８は、時刻ｔ２から時刻ｔ３までの間、すなわち第２周期Ｃ２の間、ＯＮ状態として、液晶パネル１４へ入射光Ｌ１を入射させる。同様に、光制御部４８は、時刻ｔ３から時刻ｔ４までの間、液晶パネル１４への入射光Ｌ１の入射を停止させ、時刻ｔ４から時刻ｔ５までの間、液晶パネル１４へ入射光Ｌ１を入射させる。
【００５８】
このように入射光Ｌ１が制御されているため、第１周期Ｃ１においては、液晶素子３８の状態にかかわらず、出射光Ｌ２は出射されず、液晶パネル１４は、黒表示となる（図５の線分Ｖ４の灰色）。一方、第２周期Ｃ２においては、第２時間Ｄ２の分の透過可能光量分の、出射光Ｌ２が出射されている。従って、液晶パネル１４は、第１周期における黒表示と、第２周期Ｃ２における第２時間Ｄ２の分の光量の表示とを繰り返して表示する。
【００５９】
制御部２０は、以上のようにして、画素電極３４への電圧の印加と、液晶パネル１４への入射光Ｌ１の入射とを制御する。次に、制御部２０による制御フローを、フローチャートに基づき説明する。図６は、制御部による制御フローを説明するフローチャートである。図６に示すように、制御部２０は、映像信号取得部４０により映像信号を取得し（ステップＳ１０）、周期分割部４２により、フレーム周期Ｃを第１周期Ｃ１と第２周期Ｃ２とに分割する（ステップＳ１２）。周期分割部４２は、映像信号を取得する毎に第１周期Ｃ１と第２周期Ｃ２とに分割しなくてもよく、本制御の開始の際から、予め第１周期Ｃ１と第２周期Ｃ２とを分割しておいてもよい。
【００６０】
その後、制御部２０は、参照時間算出部５２により、参照時間Ｄを算出し（ステップＳ１３）、第２時間算出部５４により、参照時間Ｄに基づき、第２時間Ｄ２を算出する（ステップＳ１４）。制御部２０は、第２時間Ｄ２を算出した後、第１時間算出部５６により、第２時間Ｄ２と補正係数αとに基づき、第１時間Ｄ１を算出する（ステップＳ１６）。制御部２０は、画素毎に、参照時間Ｄ、第２時間Ｄ２、及び第１時間Ｄ１を算出する。制御部２０は、第１時間Ｄ１を算出した後、液晶駆動部４６により、第１時間Ｄ１と第２時間Ｄ２とに基づき画素電極３４への電圧の印加を制御することで、液晶素子３８を駆動する（ステップＳ１８）。また、制御部２０は、光制御部４８により、液晶パネル１４への入射光Ｌ１の入射を制御する(ステップＳ２０)。制御部２０は、電圧の印加の制御を画素電極３４毎に行うが、入射光Ｌ１の入射の制御については、全画素共通して行う。
【００６１】
ステップＳ１８及びステップＳ２０の後、制御部２０は、次の映像があるか、すなわち次の映像信号があるかを判断し（ステップＳ２２）、次の映像がある場合（ステップＳ２２；Ｙｅｓ）は、ステップＳ１０に戻り、制御を繰り返す。制御部２０は、次の映像が無い場合（ステップＳ２２；Ｎｏ）、本制御を終了する。
【００６２】
ここで、液晶表示装置で動画像、すなわち連続する映像を表示する場合、尾引きという現象が生じる場合がある。尾引きとは、ある画素の近傍の液晶素子が、隣の画素の電界によって、意図しない方向に配向されてしまう現象である。尾引きが起こると、液晶素子が意図した方向を向かなくなるため、望んだ画像を表示できなくなるおそれがある。例えばＬＣＯＳは、画素数を多くすることが可能であるが、画素電極間の距離が短くなるため、隣の電界の影響を受けやすくなり、尾引きが顕著となるおそれがある。また、液晶素子が、電圧の無印加時に垂直方向（図２の方向Ｚ）に配向し、電圧印加時に横方向に配向する場合には、横電界がかかって、尾引きが顕著となるおそれもある。
【００６３】
それに対し、本実施形態に係る制御部２０は、フレーム周期Ｃを、第１周期Ｃ１と第２周期Ｃ２とに分割する。そして、制御部２０は、第１周期Ｃ１において、第１時間Ｄ１の間、画素に電圧を印加して液晶素子３８を駆動し、第１時間Ｄ１の経過後に、電圧印加を停止する。そして、制御部２０は、第２周期Ｃ２において、第２時間Ｄ２の間、液晶素子３８を駆動する。制御部２０は、第２周期Ｃ２で映像を表示する前に、第１周期Ｃ１において、第１時間Ｄ１で予め液晶素子３８を駆動させ、第１時間Ｄ１の後に液晶素子３８の駆動を停止させている。さらに、制御部２０は、第１時間Ｄ１を、第２時間Ｄ２より短くなるように設定して、液晶素子３８の駆動を停止させる時間を確保している。従って、この制御によると、第２周期Ｃ２が始まる前に、全ての画素の近傍の液晶素子３８の配向を、十分な時間戻し、液晶素子３８の配向を電圧無印加の状態に適切に戻すことができる。そのため、この制御によると、尾引きを適切に抑制することができる。
【００６４】
また、制御部２０は、第１周期Ｃ１の全ての期間において電圧の印加を停止するわけでなく、第１周期Ｃ１の一部の期間においてのみ電圧の印加を停止する。さらに言えば、制御部２０は、第１時間Ｄ１の間は、電圧を印加している。これにより、第２周期Ｃ２における液晶素子３８の駆動の遅れを抑制することができる。また、制御部２０は、第１周期Ｃ１において、入射光Ｌ１の入射を停止しているため、尾引き抑制のための第１周期Ｃ１における画像が視認されることを抑制する。従って、この制御によると、尾引きを抑制しつつ、動画像を適切に表示することができる。
【００６５】
図５の線分Ｖ６は、線分Ｖ４のように電圧を制御した場合の、出射光の挙動の例を示している。図５の線分Ｖ６は、液晶素子３８の配向状態を示しており、灰色部分は、入射光Ｌ１が入射されていない状態を示している。従って、線分Ｖ６の灰色部分においては、液晶素子３８が光を透過可能な配向状態となっていても、実際には出射光Ｌ２は出射されずに、黒表示となっている。図５の線分Ｖ６に示すように、液晶素子３８は、時刻ｔ１における電圧の印加により徐々に水平方向に配向して、光が透過可能な状態となる。そして、液晶素子３８は、時刻ｔ１ａにおいて電圧が停止されたら徐々に垂直方向に配向が戻り、時刻ｔ２では、十分に垂直方向に配向が戻った状態となる。ただし、時刻ｔ１から時刻ｔ２までは、入射光Ｌ１が遮断されているため、出射光Ｌ２が出射されずに黒表示となる。その後、時刻ｔ２において、電圧が印加されたら、あまり遅れずに光を透過可能な状態となる。また、時刻ｔ２より入射光Ｌ１が入射される。従って、時刻ｔ２以降の第２周期Ｃ２において、出射光Ｌ２は、適切に出射されている。このように、本実施形態のように電圧印加を制御すると、第２周期Ｃ２において、尾引きが抑制され、適切に出射光Ｌ２を出射できることがわかる。
【００６６】
なお、本実施形態においては、制御部２０は、画素に印加する電圧を一定にしつつ、印加時間を変化させることで、透過可能光量を制御していた。ただし、制御部２０は、印加時間を一定にしつつ、印加する電圧を変化させることで、光量を制御してもよい。この場合、参照時間算出部５２は、映像信号で指定される光量となるための光量を示す参照値を、参照時間Ｄでなく、参照電圧として算出する。参照電圧は、印加時間が一定である場合に、映像信号で指定される光量となるための透過可能光量を実現するための電圧値であるといえる。また、この場合、第２時間算出部５４は、第２信号値を、第２時間Ｄ２でなく、第２電圧として算出する。第２電圧の算出方法は、参照時間Ｄを参照電圧と置き換える以外は、第２時間Ｄ２の算出方法と同様である。また、第１時間算出部５６は、第１信号値を、第１時間Ｄ１でなく、第１電圧として算出する。第１電圧の算出方法は、第２時間Ｄ２を第２電圧に置き換える以外は、第１時間Ｄ１の算出方法と同様である。また、制御部２０は、印加時間と印加する電圧との両方を変化させてもよい。
【００６７】
このように、印加時間の代わりに印加する電圧を制御した場合でも、第１信号値である第１電圧が、第２信号値である第２電圧より低い値となる。従って、このように電圧を制御した場合、第１周期における液晶素子３８の配向を小さくして、第２周期Ｃ２が始まる前に配向が戻るようにすることができる。従って、印加する電圧を制御した場合でも、同様に尾引きの抑制が可能となる。
【００６８】
以上説明したように、本実施形態に係る制御部２０は、フレーム周期Ｃ毎に映像を表示するための映像信号に基づき、液晶表示装置１の駆動を制御する。制御部２０は、周期分割部４２と、信号算出部４４と、液晶駆動部４６とを有する。周期分割部４２は、フレーム周期Ｃを、第１周期Ｃ１、及び、第１周期Ｃ１より後の第２周期Ｃ２に分割する。信号算出部４４は、映像信号に基づき、液晶表示装置１の液晶素子３８を駆動するための第１信号値（本実施形態では第１時間Ｄ１）と第２信号値（本実施形態では第２時間Ｄ２）とを算出する。液晶駆動部４６は、第１周期Ｃ１において第１信号値で液晶素子３８を駆動させ、第２周期Ｃ２において第２信号値で液晶素子３８を駆動させる。また、信号算出部４４は、第２信号値と予め定めた補正係数αとに基づき第１信号を算出することで、第１信号値によって液晶素子３８を駆動した場合に液晶層３７を透過可能な光量（透過可能光量）を、第２信号値によって液晶素子３８を駆動した場合に液晶層３７を透過可能な光量よりも、少なくする。
【００６９】
この制御部２０は、第１周期Ｃ１において、第２周期Ｃ２よりも透過可能光量が少なくなるように、液晶素子３８を駆動する。従って、映像を表示するための第２周期Ｃ２の前に、液晶素子３８の配向状態を十分に解除させることができる。そのため、制御部２０によると、映像を表示する際に、尾引きを適切に低減することができる。また、制御部２０は、第１信号値を、第２信号値と補正係数αとに基づき算出する。そのため、制御部２０は、尾引きを低減するための第１信号値を、第２信号値の値毎に変化させることができ、画素やフレーム毎に、第１信号値を適切な値に設定することができる。
【００７０】
また、制御部２０は、液晶素子３８に照射する光（入射光Ｌ１）を制御する光制御部４８を更に有する。光制御部４８は、第１周期Ｃ１において入射光Ｌ１を遮断し、第２周期Ｃ２において液晶素子３８に入射光Ｌ１を照射する。この制御部２０は、尾引きを低減するための期間である第１周期Ｃ１において入射光Ｌ１を遮断することで、不要な映像が視認されることを抑制する。そして、制御部２０は、第２周期Ｃ２において入射光Ｌ１を入射させることで、尾引きを低減した状態の映像を適切に表示させることができる。ただし、制御部２０は、第１周期Ｃ１において、入射光Ｌ１を照射してもよい。この場合、制御部２０は、第１周期Ｃ１における入射光Ｌ１の照射量を、第２周期Ｃ２における入射光Ｌ１の照射量より小さくすることが好ましい。制御部２０は、第１周期Ｃ１における入射光Ｌ１の照射量を、第２周期Ｃ２における入射光Ｌ１の照射量に対して、例えば１０％程度としてよい。
【００７１】
また、信号算出部４４は、液晶素子３８に印加する電圧の値と電圧を印加する時間（印加時間）との、第１周期Ｃ１における積分値（透過可能光量）が、第２周期Ｃ２における積分値（透過可能光量）より小さくなるように、第１信号値を算出する。この信号算出部４４は、第２周期Ｃ２における電圧の値と電圧を印加する時間との積分値を、第１周期の積分値より小さくする。これにより、第１周期Ｃ１における配向状態を小さくして、尾引きを適切に低減することができる。また、第１周期Ｃ１において、小さく配向させることで、第２周期Ｃ２における液晶素子３８の応答が遅れることを抑制し、より適切な映像を表示させることができる。
【００７２】
また、信号算出部４４は、第１信号値を、第１周期Ｃ１において電圧を印加する第１時間Ｄ１として算出し、第２信号値を、第２周期Ｃ２において電圧を印加する第２時間Ｄ２として算出する。そして、液晶駆動部４６は、第１周期Ｃ１において、第１時間Ｄ１だけ液晶素子３８に電圧を印加し、第２周期Ｃ２において、第２時間Ｄ２だけ液晶素子３８に電圧を印加する。この制御部２０は、第１時間Ｄ１を第２時間Ｄ２より短く設定することで、第２周期Ｃ２が始まる前に、液晶素子３８の配向状態を十分に解除させることができる。そのため、この制御部２０によると、映像を表示する際に、尾引きを適切に低減することができる。
【００７３】
また、液晶駆動部４６は、第１周期Ｃ１の開始から第１時間Ｄ１が経過するまでの間、電圧を印加し、第１時間Ｄ１が経過してから第２周期Ｃ２の開始までの間、電圧の印加を停止する。この制御部２０は、第１時間Ｄ１が経過してから第２周期Ｃ２の開始までの間、電圧の印加を停止することで、この時間において液晶素子３８の配向状態を十分に解除させて、尾引きを適切に低減することができる。
【００７４】
また、信号算出部４４は、第２信号値に補正係数αを乗じた値を第１信号値として算出し、補正係数αは、０．３以上０．８以下である。この制御部２０は、尾引きを低減するための第１信号値を、第２信号値の値毎に変化させることができ、画素やフレーム毎に、第１信号値を適切な値に設定することができる。また、補正係数αをこの数値範囲とすることで、第１信号値が大きくなり過ぎて尾引きの低減が不十分となったり、第１信号値が小さくなり過ぎて第２周期での液晶素子３８の応答が遅れ過ぎたりすることを抑制できる。
【００７５】
また、本実施形態に係る液晶表示装置１は、制御部２０と、液晶素子３８を有する液晶パネル１４とを有する。この液晶表示装置１は、制御部２０の制御により、尾引きを適切に低減することができる。
【００７６】
また、液晶パネル１４は、反射型の液晶パネルである。この液晶表示装置１は、反射型の液晶パネル１４に対して、制御部２０の制御により、尾引きを適切に低減することができる。
【００７７】
（比較例）
ここで、比較例について説明する。図７は、第１比較例における制御のタイムチャートの一例である。第１比較例は、第１周期Ｃ１と第２周期Ｃ２とに分割しているが、第１周期Ｃ１の印加時間を、第２周期Ｃ２の印加時間に対して小さく設定せず、互いの印加時間を同じ値とした例を示している。この場合、線分Ｖ４ａに示すように、第１周期Ｃ１において、時刻ｔ１から時刻ｔ１ｘａまでの間、ＯＮ状態とされ、時刻ｔ１ｘａから時刻ｔ２までの間、ＯＦＦ状態とされる。この場合、時刻ｔ１ｘａから時刻ｔ２までのＯＦＦ状態の時間が短くなるため、第２周期Ｃ２までに液晶素子３８の配向が十分に戻らなくなる。従って、図７の線分Ｖ６ａに示すように、時刻ｔ２において、出射光が適切に出射されず
尾引きが生じてしまう。
【００７８】
図８は、第２比較例における制御のタイムチャートの一例である。第２比較例は、第１周期Ｃ１と第２周期Ｃ２とに分割しているが、第１周期Ｃ１に電圧を印加しない例を示している。この場合、線分Ｖ４ｂに示すように、第１周期Ｃ１の全期間、すなわち時刻ｔ１から時刻ｔ２までの間、ＯＦＦ状態とされる。そして、第２周期Ｃ２において、時刻ｔ２から時刻ｔ２ｘｂまでの間、ＯＮ状態とされる。この場合、線分Ｖ６ｂに示すように、第１周期Ｃ１においてずっとＯＦＦ状態であるため、第２周期Ｃ２において、液晶素子３８の応答が遅れ、出射光の出射が遅れてしまう。
【００７９】
このような比較例に対し、本実施形態では、第１周期Ｃ１において、第２周期Ｃ２の第２時間Ｄ２よりも短い第１時間Ｄ１の間、ＯＮ状態としているため、尾引きを低減しつつ、第２周期Ｃ２における液晶素子３８の応答の遅れを抑制することができる。
【００８０】
（変形例）
次に、本実施形態の変形例について説明する。図９は、変形例に係る補正係数を説明する図である。本実施形態では、第１時間Ｄ１を算出するための補正係数αは、一定値であった。しかし、制御部２０は、補正係数αを、一定値としなくてもよい。例えば、制御部２０は、補正係数αを、第２時間Ｄ２（第２信号値）の大きさに応じて異なる値としてもよい。より詳しくは、制御部２０は、第２時間Ｄ２（第２信号値）が大きくなるに従って、補正係数αを小さな値としてもよい。この場合、例えば、第２時間Ｄ２が０の場合、補正係数αが最大値αｍａｘとなり、第２時間Ｄ２が最大値Ｄ２ｍａｘの場合、補正係数αが０となる。図９の線分α１に示すように、補正係数αは、第２時間Ｄ２が大きくなるに従って、直線状に小さな値となってもよい。また、図９の線分α２に示すように、補正係数αは、第２時間Ｄ２が大きくなるに従って、下に凸の曲線状に小さな値となってもよい。また、図９の線分α３に示すように、補正係数αは、第２時間Ｄ２が大きくなるに従って、上に凸の曲線状に小さな値となってもよい。ここで、第２時間Ｄ２（第２信号値）が大きくなるほど、ＯＮ状態が長くなるため、尾引きが顕著となるおそれがある。従って、制御部２０は、第２時間Ｄ２が大きくなるほど補正係数αを小さくすることで、第１時間Ｄ１を小さくして電圧印加を停止させる時間を長くする。これにより、尾引きが顕著となるおそれがある場合に、電圧の印加を十分に停止することで、液晶素子３８の配向を適切に戻して、尾引きをより効果的に抑制する。さらに、第２時間Ｄ２（第２信号値）が小さくなるほど補正係数αを大きくすることで、第２時間Ｄ２が短く尾引きが顕著とならない場合に、電圧の印加の停止期間を少なくして、液晶素子３８の応答性を高めることができる。
【００８１】
また、本実施形態では、液晶パネル１４ｂ、１４ｇ、１４ｒが、互いに異なる色の出射光Ｌｂ２、Ｌｇ２、Ｌｒ２を出射する。そして、制御部２０は、液晶パネル１４ｂ、１４ｇ、１４ｒ毎に、第１時間Ｄ１及び第２時間Ｄ２を算出している。ただし、制御部２０は、液晶パネル１４ｂ、１４ｇ、１４ｒの対応する画素、すなわち映像内で同じ箇所を構成する画素において、補正係数αを、液晶パネル１４ｂ、１４ｇ、１４ｒのいずれかに統一させてもよい。
【００８２】
また、本実施形態では、制御部２０は、第１周期Ｃ１の全期間で、入射光Ｌ１の入射を停止させていた。ただし、制御部２０は、第１周期Ｃ１の一部の期間で入射光Ｌ１を入射させてもよい。図１０は、変形例における制御のタイムチャートの一例である。図１０の線分Ｖ５Ａに示すように、例えば、制御部２０は、第１周期Ｃ１において、時刻ｔ１から時刻ｔ１ｔまでの間、入射光Ｌ１の入射を停止させ、時刻ｔ１ｔから時刻ｔ２までの間、入射光Ｌ１を入射させてもよい。
【００８３】
以上、本発明の実施形態及び変形例を説明したが、これら実施形態及び変形例の内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態及び変形例の要旨を逸脱しない範囲で構成要素の種々の省略、置換又は変更を行うことができる。
【符号の説明】
【００８４】
１  液晶表示装置
１０  発光装置
１２  照明光学系
１４  液晶パネル
１６  合成光学系
１８  投射光学系
２０  制御部（制御装置）
３７  液晶層
３８  液晶素子
４２  周期分割部
４４  信号算出部
４６  液晶駆動部
４８  光制御部
５２  参照時間算出部
５４  第２時間算出部
５６  第１時間算出部
Ｃ  フレーム周期
Ｃ１  第１周期
Ｃ２  第２周期
Ｄ  参照時間
Ｄ１  第１時間
Ｄ２  第２時間
【図１】
2019124757.tif 000003
【図２】
2019124757.tif 000004
【図３】
2019124757.tif 000005
【図４】
2019124757.tif 000006
【図５】
2019124757.tif 000007
【図６】
2019124757.tif 000008
【図７】
2019124757.tif 000009
【図８】
2019124757.tif 000010
【図９】
2019124757.tif 000011
【図１０】
2019124757.tif 000012